(57)【要約】【課題】光学フィルムにしわ等が発生してしまうのを防止するとともに、光学フィルムの側辺とフレームの側壁の内面が当接して雑音が発生してしまうのを防止する。【解決手段】拡散フィルム１１の第１側辺１１ａの中央部分に固定用突起１２を形成し、固定用突起１２とフレーム４とを貼着することにより、拡散フィルム１１の一部分をフレーム４内において固定し、拡散フィルム１１における第１側辺１１ａに対向する第２側辺１１ｂに、フレーム４内における拡散フィルム１１の配置位置を規制する位置規制用突起１６を形成し、フレーム４の第２側壁３ｂにおける位置規制用突起１６に対向する位置に、位置規制用突起１６に係止される位置規制用凹部１７を形成する。【選択図】      図１
2007265632.tif 000002
【特許請求の範囲】
【請求項１】
複数の側辺を有する光学フィルムと、前記光学フィルムの側辺に対向して配置される側壁を備えており前記光学フィルムを収納するフレームとを有するライトユニットにおいて、
前記複数の側辺のうち一つの側辺が前記フレームに貼着され、
残りの側辺のうち少なくとも一つの側辺に、前記フレーム内における前記光学フィルムの配置位置を規制するフィルム側位置規制用係止部が形成され、
前記フレームの前記側壁のうち前記フィルム側位置規制用係止部に対向する位置に、前記フィルム側位置規制用係止部に係止されるフレーム側位置規制用係止部が形成されているとともに、前記フィルム側位置規制用係止部と前記フレーム側位置規制用係止部とは貼着されていないことを特徴とするライトユニット。
【請求項２】
前記フィルム側位置規制用係止部は、側辺から突出して形成された位置規制用突起とされ、前記フレーム側位置規制用係止部は、前記側壁における前記光学フィルムに対向する面が凹状に形成された位置規制用凹部とされている請求項１に記載のライトユニット。
【請求項３】
前記フィルム側位置規制用係止部の突出方向以外の方向に配置されるフィルム側係止部側辺と、前記フレーム側位置規制用係止部のうち前記フィルム側係止部側辺に対向するフレーム側係止部内面との間隙寸法が、前記残りの側辺のうち前記フィルム側位置規制用係止部の突出方向以外の方向に配置される非突出方向側辺と、前記フレームのうち前記非突出方向側辺に対向する前記側壁の内面との間隙寸法より短く形成されている請求項２に記載のライトユニット。
【請求項４】
前記フィルム側位置規制用係止部は、平面形状が矩形状に形成され、前記フィルム側位置規制用係止部における突出側の一方の角部は、他方の角部と形状が異なるように面取りされて面取部とされており、前記フレーム側位置規制用係止部の内面のうち前記面取部に対向する部分は、前記面取部の形状に近接して沿うように形成される面取対向部とされている請求項２または３に記載のライトユニット。
【発明の詳細な説明】
【技術分野】
【０００１】
本発明は、光学フィルムとこの光学フィルムを収納するフレームとを有し、光学フィルムの一部がフレーム内において固定されているライトユニットに関する。
【背景技術】
【０００２】
従来より、液晶表示パネル等の表示パネルに照射光を照射するためのライトユニットが用いられている。
【０００３】
図６は、従来のライトユニットの一例を示す模式的平面図であり、図６に示すように、従来のライトユニット３０は、底板および前記底板の各側縁に立設された側壁３２を備えたフレーム３３を有している。前記フレーム３３内には、図示しない導光板、およびこの導光板の側面に対向して配置される光源が収納されているとともに、この導光板に積層して複数の光学フィルム３４が収納されている。
【０００４】
このような光学フィルム３４をフレーム３３内において固定して収納する場合、光学フィルム３４の第１側辺３４ａ全体や複数の側辺をフレーム３３内において固定させると、ライトユニット３０を使用する環境温度等によって前記各光学フィルム３４が伸縮してしまったときに、前記各光学フィルム３４にしわや撓み等が発生してしまうおそれがあった。そして、このようなしわ等が発生した光学フィルム３４を用いて照射光を照射すると、照射光にムラが発生してしまい、この結果、このような照射光を用いて表示パネルの表示を行った場合には、表示パネルの光学特性が低下してしまうという問題を有していた。
【０００５】
このため、従来より、各光学フィルム３４にしわ等が発生してしまうのを防止するため、例えば、各光学フィルム３４の第１側辺３４ａの一部分に光学フィルム３４を固定するための固定用突起３５を第１側辺３４ａから突出して形成するとともに、フレーム３３における光学フィルム３４の第１側辺３４ａに対向する第１側壁３２ａに、固定用突起３４が遊嵌される固定用凹部３６を形成する。そして、固定用突起３５の底面と固定用凹部３６とを両面粘着テープ等を用いて貼着することにより、光学フィルム３４をフレーム３３に固定する。このように、各光学フィルム３４の第１側辺３４ａの一部分をフレーム３３に固定することによって、各光学フィルム３４をフレーム３３内に収納するライトユニット３０が知られている（例えば、特許文献１、２参照）。
【０００６】
しかし、前述のライトユニット３０においては、各光学フィルム３４が第１側辺３４ａの一部分によってしかフレーム３３に固定されていないため、このライトユニット３０を表示装置に実装して使用すると、各光学フィルム３４がフレーム３３との固定部分を支点としてフレーム３３内において回動してしまうおそれがある。そして、このような場合には、各光学フィルム３４が、フレーム３３の一側壁３２ａに隣接して配置される他側壁３２ｂの方向に位置ずれして、各光学フィルム３４におけるフレーム３３に固定されている第１側辺３４ａに隣接する他側辺３４ｂが、フレーム３３の他側壁３２ｂの内面に広い範囲にわたって当接してしまい、この結果、ラトルノイズといわれる雑音が発生してしまうおそれがあった。
【０００７】
【特許文献１】特開２００４−２５８４６０号公報
【特許文献２】特開２００５−１５８７０７号公報
【発明の開示】
【発明が解決しようとする課題】
【０００８】
本発明はこれらの点に鑑みてなされたものであり、光学フィルムにしわ等が発生してしまうのを防止するとともに、光学フィルムの側辺とフレームの側壁の内面が当接して雑音が発生してしまうのを防止することができるライトユニットを提供することを目的とする。
【課題を解決するための手段】
【０００９】
前記目的を達成するため、本発明に係るライトユニットの特徴は、複数の側辺を有する光学フィルムと、前記光学フィルムの側辺に対向して配置される側壁を備えており前記光学フィルムを収納するフレームとを有するライトユニットにおいて、前記複数の側辺のうち一つの側辺が前記フレームに貼着され、残りの側辺のうち少なくとも一つの側辺に、前記フレーム内における前記光学フィルムの配置位置を規制するフィルム側位置規制用係止部が形成され、前記フレームの前記側壁のうち前記フィルム側位置規制用係止部に対向する位置に、前記フィルム側位置規制用係止部に係止されるフレーム側位置規制用係止部が形成されているとともに、前記フィルム側位置規制用係止部と前記フレーム側位置規制用係止部とは貼着されていない点にある。
【００１０】
また、前記ライトユニットにおいて、前記フィルム側位置規制用係止部は、前記側辺から突出して形成された位置規制用突起とされ、前記フレーム側位置規制用係止部は、前記側壁における前記光学フィルムに対向する面が凹状に形成された位置規制用凹部とされているとよい。
【００１１】
この本発明に係るライトユニットによれば、光学フィルムの一辺のみをフレーム固定するので、環境温度等により拡散フィルムが伸縮した場合であっても、拡散フィルムにしわや撓み等が発生してしまうのを防止することができる。これとともに、光学フィルムを、フレームとの固定部分、およびフィルム側位置規制用係止部とフレーム側位置規制用係止部との係止部分により、第１側辺および第１側辺に対向する第２側辺の２点によって支持することができる。このため、光学フィルムがフレーム内において回動してしまうのを規制することができるので、光学フィルムの側辺がフレームの対向する側壁の内面に当接してしまうのを防止することができる。
【００１２】
また、本発明に係る他のライトユニットの特徴は、前記フィルム側位置規制用係止部の突出方向以外の方向に配置されるフィルム側係止部側辺と、前記フレーム側位置規制用係止部のうち前記フィルム側係止部側辺に対向するフレーム側係止部内面との間隙寸法が、前記残りの側辺のうち前記フィルム側位置規制用係止部の突出方向以外の方向に配置される非突出方向側辺と、前記フレームのうち前記非突出方向側辺に対向する前記側壁の内面との間隙寸法より短く形成されている点にある。
【００１３】
この本発明に係る他のライトユニットによれば、フィルム側位置規制用係止部のフィルム側係止部側辺が、フレーム側位置規制用係止部の内面に当接しても、光学フィルムにおける他側辺が、フレームの対向する側壁の内面に当接するのを確実に防止することができる。
【００１４】
さらに、本発明に係る他のライトユニットの特徴は、前記フィルム側位置規制用係止部は、平面形状が矩形状に形成され、前記フィルム側位置規制用係止部における突出側の一方の角部は、他方の角部と形状が異なるように面取りされて面取部とされており、前記フレーム側位置規制用係止部の内面のうち前記面取部に対向する部分は、前記面取部の形状に近接して沿うように形成される面取対向部とされている点にある。
【００１５】
この本発明に係る他のライトユニットによれば、フィルム側位置規制用係止部の突出側の１つの角部が面取部とされ、フレーム側位置規制用係止部の内面は、面取部に沿った形状の面取対向部とされているので、光学フィルムをフレームに収納する際に、表裏あるいは方向を間違えて逆さまに収納してしまっても、フィルム側位置規制用係止部の突出側の他の角部がフレーム側位置規制用係止部の面取対向部に当接して収納することができない。このため、光学フィルムの表裏あるいは方向を間違えることなくフレーム内に確実に収納することができる。
【発明の効果】
【００１６】
以上述べたように、本発明に係るライトユニットによれば、光学フィルムのしわ等の発生を防止することにより、ライトユニットが表示パネルに照射光を照射するにあたり、表示パネルに対して均一に照射光を照射することができるので、表示パネルの光学特性が低下してしまうのを防止することができる。これとともに、光学フィルムの他側辺とフレームの対向する側壁の内面とが当接する範囲を小さくし、さらには当接するのを防止することにより、ライトユニットにおいてラトルノイズといわれる雑音が発生してしまうのを防止することができる。
【発明を実施するための最良の形態】
【００１７】
以下、本発明に係るライトユニットの一実施形態を図１から図５を参照して説明する。
【００１８】
ここで、本実施形態においては、ライトユニットとして表示パネルの反視認側に配設されるバックライトユニットを用いて説明する。
【００１９】
図１は、本実施形態に係るライトユニットを示す模式的平面図、図２は、図１のライトユニットのＡ−Ａにおける模式的断面図である。
【００２０】
図１および図２に示すように、本実施形態に係るバックライトユニット１は、矩形状の底板２およびこの底板２の各側縁に立設された側壁３を備えるフレーム４を有しており、フレーム４における長手方向に直交する方向の両側壁３の内面には、段差部５ａ、５ｂが形成されている。
【００２１】
フレーム４内における底板２の視認側には、樹脂材料等からなる反射フィルム７が配置されている。反射フィルム７の視認側には、樹脂材料等からなる矩形状の導光板８が反射フィルム７に積層して配置されており、導光板８の長手方向の対向する両側面に対向する位置には、ＬＥＤや冷陰極ランプ等からなる光源９が配置されている。
【００２２】
そして、フレーム４に形成された各段差部５ａ、５ｂの高さ寸法は、反射フィルム７および導光板８の高さ寸法とほぼ同程度の高さ寸法に形成されている。
【００２３】
導光板８の視認側には、複数の光学フィルムが導光板８に積層して配置されており、本実施形態においては、光学フィルムとして光を拡散させる矩形状の拡散フィルム１１が導光板８に積層して配置され、フレーム４内に収納されている。
【００２４】
拡散フィルム１１における長手方向に直交する方向の１つの側辺である第１側辺１１ａの中央部分には、フレーム４との固定に用いられる平面形状が矩形状の固定用突起１２が第１側辺１１ａから突出して形成されており、フレーム４における第１側辺１１ａに対向する第１側壁３ａにおける第１段差部５ａの頂面には、固定用突起１２が遊嵌される大きさの固定用凹部１３が形成されている。そして、固定用突起１２の底面は、固定用凹部１３の視認側に両面粘着テープ１４を介して貼着され、これにより、拡散フィルム１１はフレーム４の内部において固定されている。
【００２５】
拡散フィルム１１の第１側辺１１ａに対向する第２側辺１１ｂの中央部分には、フレーム４内における拡散フィルム１１の配置位置を規制するフィルム側位置規制用係止部としての位置規制用突起１６が第２側辺１１ｂから突出して形成されている。位置規制用突起１６は、図３に示すように、平面形状が矩形状に形成されており、位置規制用突起１６における突出側の１つの角部は、他の角部と形状が異なるように面取りして面取部１６ａとされている。フレーム４における第２側辺１１ｂに対向する第２側壁３ｂの第２段差部５ｂの頂面であって位置規制用突起１６に対向する面には、位置規制用突起１６が遊嵌される大きさのフレーム側位置規制用係止部としての位置規制用凹部１７が形成されている。そして、位置規制用凹部１７の内面のうち位置規制用突起１６の面取部１６ａに対向する部分は、面取部１６ａの形状に沿って形成されて、面取対向部１７ａとされている。
【００２６】
ここで、位置規制用突起１６の各側辺のうち位置規制用突起１６の突出方向に対して直交する方向（突出方向以外の方向）に配置される側辺を、フィルム側係止部側辺としての第１突起側側辺１６ｂおよび第２突起側側辺１６ｃとする。また、位置規制用凹部１７における位置規制用突起１６の第１突起側側辺１６ｂおよび第２突起側側辺１６ｃに対向する内面を、第１凹部側内面１７ｂおよび第２凹部側内面１７ｃとする。さらに、拡散フィルム１１の各側辺のうち位置規制用突起１６の突出方向に対して直交する方向（突出方向以外の方向）に配置される非突出方向側辺を、第３側辺１１ｃおよび第４側辺１１ｄとする。そして、フレーム４における拡散フィルム１１の第３側辺１１ｃおよび第４側辺１１ｄに対向する側壁３を、第３側壁３ｃおよび第４側壁３ｄとする。
【００２７】
位置規制用突起１６の第１突起側側辺１６ｂおよび第２突起側側辺１６ｃと、位置規制用凹部１７の第１凹部側内面１７ｂおよび内２凹部側内面１７ｃとの間隙寸法は、拡散フィルム１１の第３側辺１１ｃおよび第４側辺１１ｄと、フレーム４の第３側壁３ｃおよび第４側壁３ｄの各内面との間隙寸法と比較して短く形成されている。本実施形態においては、位置規制用突起１６の第１突起側側辺１６ｂおよび第２突起側側辺１６ｃと、位置規制用凹部１７の第１凹部側内面１７ｂおよび内２凹部側内面１７ｃとの間隙寸法は、０．２ｍｍとされている。また、拡散フィルム１１の第３側辺１１ｃおよび第４側辺１１ｄと、フレーム４の第３側壁３ｃおよび第４側壁３ｄの各内面との間隙寸法は、０．４ｍｍとされている。
【００２８】
このようなバックバックライトユニット１は、図示しない表示パネルの反視認側に配置され、光源９からの照射光を導光板８および拡散フィルム１１を介して表示パネルに照射するようになっている。
【００２９】
次に、本実施形態の作用について説明する。
【００３０】
本実施形態によれば、拡散フィルム１１の固定用突起１２を固定用凹部１３に貼着することにより、拡散フィルム１１の一部のみをフレーム４に固定するので、環境温度等により拡散フィルム１１が伸縮した場合であっても、拡散フィルム１１にしわや撓み等が発生してしまうのを防止することができる。
【００３１】
また、拡散フィルム１１は、固定用突起１２がフレーム４に固定されるとともに、位置規制用突起１６がフレーム４の位置規制用凹部１７に係止されており、これにより、拡散フィルム１１を、フレーム４内において、第１側辺１１ａに形成された固定用突起１２および第１側辺１１ａに対向する第２側辺１１ｂに形成された位置規制用突起１６の２点によって支持することができる。このため、拡散フィルム１１がフレーム４内における第３側壁３ｃおよび第４側壁３ｄの方向に動いてしまうのを規制することができるので、拡散フィルム１１の第３側辺１１ｃおよび第４側辺１１ｄがフレーム４の第３側壁３ｃおよび第４側壁３ｄの内面に当接してしまうのを防止することができる。
【００３２】
したがって、拡散フィルム１１のしわ等の発生を防止することにより、バックライトユニット１から表示パネルに対して均一に照射光を照射することができるので、表示パネルの光学特性が低下してしまうのを防止することができる。これとともに、拡散フィルム１１の第３側辺１１ｃおよび第４側辺１１ｄとフレーム４の第３側壁３ｃおよび第４側壁３ｄの内面とが当接する範囲を小さくし、さらには当接するのを防止することにより、バックライトユニット１においてラトルノイズといわれる雑音が発生してしまうのを防止することができる。
【００３３】
また、本実施形態に係るバックライトユニット１によれば、位置規制用突起１６の第１突起側側辺１６ｂおよび第２突起側側辺１６ｃと、位置規制用凹部１７の第１凹部側内面１７ｂおよび第２凹部側内面１７ｃとの間隙寸法は、拡散フィルム１１の第３側辺１１ｃおよび第４側辺１１ｄと、フレーム４の第３側壁３ｃおよび第４側壁３ｄの各内面との間隙寸法と比較して短く形成されている。このため、位置規制用突起１６の第１突起側側辺１６ｂまたは第２突起側側辺１６ｃが、位置規制用凹部１７の第１凹部側内面１７ｂまたは第２凹部側内面１７ｃに当接しても、拡散フィルム１１の第３側辺１１ｃまたは第４側辺１１ｄが、フレーム４の第３側壁３ｃまたは第４側壁３ｄの内面に当接するのを確実に防止することができる。この結果、拡散フィルム１１がフレーム４に当接する範囲を小さくし、ラトルノイズの発生をより防止することができる。
【００３４】
さらに、位置規制用突起１６の突出側の１つの角部は面取部１６ａとされ、位置規制用凹部１７の内面は、面取部１６ａに沿った形状の面取対向部１７ａとされているので、拡散フィルム１１をフレーム４に収納する際に、表裏あるいは方向を間違えて逆さまに収納してしまっても、位置規制用突起１６の突出側の他の角部が位置規制用凹部１７の面取対向部１７ａに当接して確実に収納できない。このため、拡散フィルム１１の表裏あるいは方向を間違えることなくフレーム４内に確実に収納することができる。
【００３５】
次に、本発明に係るバックライトユニット１の第２の実施形態について、図４を用いて説明する。
【００３６】
なお、第１実施形態のバックライトユニット１と構成が同じ部分については同一の符号を付して説明し、詳説を省略する。
【００３７】
本実施形態におけるバックライトユニット１のフレーム４内には、複数の光学フィルムが導光板８に積層して配置されており、本実施形態においては、光学フィルムとして、拡散フィルム１１の他、照射光の輝度を向上させるためのプリズムシート１９が用いられている。
【００３８】
導光板８側に配置された拡散フィルム１１における第１側辺１１ａの一端部分には、第１固定用突起１２が形成されており、フレーム４の第１側壁３ａにおける第１段差部５ａの頂面であって第１固定用突起１２に対向する部分には、第１固定用突起１２が遊嵌される大きさの第１固定用凹部１３が形成されている。そして、第１固定用突起１２の底面は、第１固定用凹部１３に両面粘着テープ（図示せず）を用いて貼着されて、固定されている。
【００３９】
また、拡散フィルム１１の第２側辺１１ｂの一端部分には、第１位置規制用突起１６が形成されており、フレーム４における第２側壁３ｂにおける第２段差部５ｂの頂面であって第１位置規制用突起１６に対向する部分には、第１位置規制用凹部１７が形成されている。そして、第１位置規制用突起１６は、第１位置規制用凹部１７に係止されている。
【００４０】
さらに、拡散フィルム１１の視認側に配置されたプリズムシート１９の第１側辺１１ａのうち拡散フィルム１１の第１側辺１１ａの一端部分と反対側の他端部分には、第２固定用突起２０が形成されており、フレーム４の第１側壁３ａにおける第１段差部５ａの頂面であって第２固定用突起２０に対向する部分には、第２固定用突起２０が遊嵌される大きさの第２固定用凹部２１が形成されている。そして、第２固定用突起２０の底面は、第２固定用凹部２１に両面粘着テープ（図示せず）を用いて貼着されて、固定されている。
【００４１】
さらにまた、プリズムシート１９の第２側辺１１ｂのうち拡散フィルム１１の第２側辺１１ｂの一端部分と反対側の他端部分には、第２位置規制用突起２３が形成されており、フレーム４の第２側壁３ｂにおける第２段差部５ｂの頂面であって第２位置規制用突起２３に対向する部分には、第２位置規制用凹部２４が形成されている。そして、第２位置規制用突起２３は、第２位置規制用凹部２４に係止されている。
【００４２】
ここで、第２実施形態のように、複数の光学フィルムが積層して配置されたバックライトユニット１においては、各光学フィルムをフレーム４に直接貼着して、フレーム４内に確実に収納するために、各固定用突起１２、２０は、各光学フィルムを積層した際にそれぞれ重ならない位置に形成されることが好ましい。一方、各位置規制用突起１６、２３は、図５に示すように、各光学フィルムを積層した際に重なる位置に形成され、共通の位置規制用凹部１７に係止されるようにしてもよい。
【００４３】
次に、第２実施形態の作用について説明する。
【００４４】
本実施形態によれば、拡散フィルム１１およびプリズムシート１９の各固定用突起１２、２０を各固定用凹部１３、２１に貼着することにより、拡散フィルム１１およびプリズムシート１９の一部のみをフレーム４に固定するので、環境温度等により拡散フィルム１１やプリズムシート１９が伸縮した場合であっても、拡散フィルム１１やプリズムシート１９にしわや撓み等が発生してしまうのを防止することができる。
【００４５】
また、拡散フィルム１１およびプリズムシート１９は、各固定用突起１２、２０がフレーム４に固定されるとともに、各位置規制用突起１６、２３がフレーム４の各位置規制用凹部１７、２４に係止されており、これにより、拡散フィルム１１およびプリズムシート１９を、フレーム４内において、各固定用突起１２、２０および各位置規制用突起１６、２３の２点によって支持することができる。このため、拡散フィルム１１およびプリズムシート１９がフレーム４内における第３側壁３ｃおよび第４側壁３ｄの方向に動いてしまうのを規制することができるので、拡散フィルム１１およびプリズムシート１９の第３側辺１１ｃおよび第４側辺１１ｄがフレーム４の第３側壁３ｃおよび第４側壁３ｄの内面に当接してしまうのを防止することができる。
【００４６】
したがって、拡散フィルム１１およびプリズムシート１９のしわ等の発生を防止することにより、バックライトユニット１から表示パネルに対して均一に照射光を照射することができるので、表示パネルの光学特性が低下してしまうのを防止することができる。これとともに、拡散フィルム１１およびプリズムシート１９の第３側辺１１ｃおよび第４側辺１１ｄとフレーム４の第３側壁３ｃおよび第４側壁３ｄの内面とが当接する範囲を小さくし、さらには当接するのを防止することにより、バックライトユニット１においてラトルノイズといわれる雑音が発生してしまうのを防止することができる。
【００４７】
なお、本発明は前記実施形態に限定されるものではなく、必要に応じて種々変更することが可能である。
【００４８】
例えば、本実施形態においては、フィルム側位置規制用係止部として、フィルムの一側辺から突出して形成される位置規制用突起１６を用い、フレーム側位置規制用係止部として、フレーム４の一側壁３における段差部５の頂面に凹状に形成される位置規制用凹部１７を用いて説明しているがこれに限定されるものではない。例えば、フィルム側位置規制用係止部を、フィルムの一側辺の一部分を表示パネルの表示に影響を及ぼさない範囲において切り欠き形成した位置規制用切り欠き部とし、フレーム側位置規制用係止部を、フレーム４の側壁３のうち位置規制用切り欠き部に対向する部分に突出し、前記位置規制用切り欠き部に遊嵌される大きさに形成される位置規制用突起としてもよい。このとき、位置規制用突起の突出方向に対して非直交方向に配置される突起側側辺と、前記位置規制用切り欠き部のうち前記突起側側辺に対向する切り欠き部内面との間隙寸法は、前記光学フィルムの側辺のうち前記突起側側辺に対して非直交方向に配置される非直交側辺と、前記フレームのうち前記非直交側辺に対向する前記側壁の内面との間隙寸法より短く形成されているとよい。
【００４９】
また、位置規制用突起１６や位置規制用凹部１７の形成位置や形状等も本実施形態に限定されるものではなく、例えば、位置規制用突起１６を平面形状が三角形状や略半円状となるように形成してもよい。さらに、光学フィルムについても、種々の光学フィルムを用いることができ、積層枚数も本実施形態に限定されない。
【００５０】
さらに、本実施形態においては、光学フィルムは位置規制用突起１６をフレーム４に直接貼着することによりフレーム４内においてその配置位置が固定されているが、光学フィルムをフレーム４内において固定する手段は、本実施形態に限定されない。例えば、光学フィルムの位置規制用突起１６を導光板８に貼着し、導光板８をフレーム４に貼着することにより、光学フィルムをフレーム４内において固定してもよい。
【図面の簡単な説明】
【００５１】
【図１】本発明に係るライトユニットの一実施形態を示す模式的平面図
【図２】図１のライトユニットのＡ−Ａにおける模式的断面図
【図３】図１のライトユニットの位置規制用突起を拡大して示す模式的平面図
【図４】本発明に係るライトユニットの他の実施形態を示す模式的平面図
【図５】本発明に係るライトユニットの他の実施形態を示す模式的平面図
【図６】従来のライトユニットの一例を示す模式的平面図
【符号の説明】
【００５２】
１  ライトユニット
２  底板
３  側壁
３ａ  第１側壁
４ｂ  第２側壁
４ｃ  第３側壁
３ｄ  第４側壁
４  フレーム
５  段差部
５ａ  第１段差部
５ｂ  第２段差部
１１  拡散フィルム
１１ａ  第１側辺
１１ｂ  第２側辺
１１ｃ  第３側辺
１１ｄ  第４側辺
１２  固定用突起
１３  固定用凹部
１６  位置制御用突起
１６ａ  面取部
１６ｂ  第１突起側側辺
１６ｃ  第２突起側側辺
１７  位置制御用凹部
１７ａ  面取対向部
１７ｂ  第１凹部側内面
１７ｃ  第２凹部側内面
【図１】
2007265632.tif 000003
【図２】
2007265632.tif 000004
【図３】
2007265632.tif 000005
【図４】
2007265632.tif 000006
【図５】
2007265632.tif 000007
【図６】
2007265632.tif 000008